(57)【要約】【課題】  デジタル広告に基づき認識する為のシステムと方法の幾つかの制限にうち勝つか、当該制限を少なくともを和らげることも、本公開特許の目的である。【解決手段】  本公開特許はユーザーのネットワーク使用可能デバイス上に文脈キーワードに基づく広告を掲載する方法を開示する。但し、当該方法は以下のステップを含む：即ち、ユーザーデバイスにコンテンツを入力するユーザーのアクションまたはすべてのフォームのすべてのコンテンツをインプット周辺機器から受け取るアクションおよびアウトプット周辺機器から押し出されたか、移送されたデータの要件を満たすコンテンツを抽出するステップ；抽出されたコンテンツからアルファベット数値文字を識別して抽出するステップ；ユーザーデバイスのメモリー中のアルファベット数値文字を記憶させるステップ；アルファベット数値文字から意味を有するキーワードを形成するステップ；そのキーワードをランダム化するステップ；広告コンテンツを、サーバーに送った当該キーワードに基づき、広告サーバーから引き出すステップ；引き出した広告をサーバーに送って、ユーザーメモリーの中に記憶させるステップ；ユーザーデバイス上に表示すべき広告の属性を受け取るステップ；および当該広告を、前述の属性に従って、ユーザーデバイスのメインスクリーンまたは別なスクリーン上に表示するステップ。
2013522700.tif 000002
【特許請求の範囲】
【請求項１】
ユーザーデバイス上に広告する方法において、
ユーザーデバイス上にコンテンツをインプット周辺機器から入力するか移相するユーザーのアクションおよびアウトプット周辺機器に押し出されたか移送されたデータに答えて、コンテンツを抽出するステップと、
抽出されたコンテンツからアルファベット数値文字を識別して抽出するステップと、
アルファベット数値文字をユーザーデバイスのメモリーに記憶するステップと、
アルファベット数値文字から意味を持ったキーワードを形成するステップと、
意味を持ったキーワードをランダム化するステップと、
ネットワークの上のサーバーに前述のキーワードを送るステップと、
サーバーに送ったキーワードに基づき広告サーバーから広告コンテンツを引き出し、引き出された当該広告をユーザーデバイスのメモリー中に記憶させるステップと、
ユーザーデバイス上に表示すべき広告の属性を受け取り、当該属性に従って、ユーザーデバイスのメインスクリーンまたは別なスクリーン上に表示するステップと、
を実行順序を特定することなく含むことを特徴とする方法。
【請求項２】
前記コンテンツを抽出するステップは、
コンテンツを、１つまたはそれ以上の表示スクリーンおよびソフトウェアインターフェースまたはテキストを表示スクリーン上に責任をもって納める機能、異なったアルファベット数値キーから押されたーキーに添付された１つのフレームまたはウィンドウ バッファー、キー／キーパッドコンテントバッファー、指、抵抗、静電容量、索針をベースにしたシングル、マルチプル タッチスクリーンによって押されたスクリーン上の場所、モーションまたはジェスチャーもしくはＩＲセンサーバッファー、Ｂｌｕｅｔｏｏｔｈ、ＷｉＦｉ、ＬＡＮ等によって位置決めされたスクリーン上の場所、またはファイルの記憶場所またはデバイスのメモリーまたはデバイスに接続されたメモリードライブからか、向けたファイルの移転およびコンテンツ、および、メモリー中のポートの中のマイクロフォンまたはオーデオから受信されたオーデオのスピーチからテキストへの変換によって得られたコンテンツからから抽出するサブステップを更に含むことを特徴とする請求項１に記載の方法。
【請求項３】
ユーザーデバイスの蒸発性記憶装置および非蒸発性記憶装置に記憶されたデータからコンテンツを抽出するステップを更に含むことを特徴とする請求項１に記載の方法。
【請求項４】
インプット周辺機器に、キーボード、タッチスクリーン、モーションセンサー、カメラセンサー、ＩＲセンサー、トラックパッド、スクロール ホィールまたはインプットマイクロフォンまたはそのた一切のオーデオインプットポート、ソフトウェアまたはハードウェアをベースにしたオーデオ／テキスト コンバーター、揮発性または非揮発性メモリー、Ｂｌｕｅｔｏｏｔｈ、ＷｉＦｉ、ＬＡＮ、ＵＳＢ、ＵＡＲＴ、ＲＳ２３２、ＪＴＡＧ（Ｊｏｉｎｔ Ｔｅｓｔ Ａｃｔｉｏｎ Ｇｒｏｕｐ）／すべてのシリアルまたはパラレルポート、電子機器および紙またはその他の材料に書くため使用されるとき、デジタルデータを記録ため使われる通常のスマートペンが含まれることを特徴とする請求項１に記載の方法。
【請求項５】
アウトプット周辺機器が表示スクリーン、ファイル貯蔵装置から出力されたオーディオ、ｈｄｍｉポート、ｓｐｄｉｆポート、蒸発性メモリーと非蒸発性メモリー、ヘッドフォンまたは受話口、Ｂｌｕｅｔｏｏｔｈ、ＷｉＦｉ、ＬＡＮ、ＵＳＢ、ＵＡＲＴ、ＲＳ２３２、ＪＴＡＧ、すべてのシリアルポートまたはパラレルポートを含むことを特徴とする請求項１に記載の方法。
【請求項６】
ユーザーデバイスがネットワーク使用可能デバイスであることを特徴とする請求項１に記載の方法。
【請求項７】
前述のネットワークがインターネットまたはイントラネット、個人または法人に近いピアツーピアグループまたは放送ネットワーク、無線ネットワークおよびアナログまたはデジタルネットワークを含むことを特徴とする請求項６に記載の方法。
【請求項８】
ネットワーク使用可能デバイスが、６つまたはそれ以上の携帯電話／モバイルデバイス、ＰＤＡ［デジタル携帯端末］、スマートフォン、機能電話、スマートブック、タブレットＰＣ、ＰＣ、ノートブック、ラップトップ、ネットブック、デジタル額縁、携帯メデアプレーヤー、音楽プレーヤー、ビデオプレーヤー、デジタルＴＶ、ＩＰＴＶ、アナログＴＶ、セットトップボックス、キッチン装置、デジタル時計、カー情報デバイス、ＶＯＩＰ電話、ＩＰ電話、ＴＶのリモコンあるいはすべての電子機器とナビゲーションデバイスを含むことを特徴とする請求項７に記載の方法。
【請求項９】
アルファベット数値文字が桁、ナンバー、テキスト、ワードおよび列を含むことを特徴とする請求項１に記載の方法。
【請求項１０】
前述の文字とワードがユーザーデバイスのメモリーの中に記録と抽出と同じ順序あるいはオーダーでない、無差別な順序かオーダーで記憶されることを特徴とする請求項９に記載の方法。
【請求項１１】
ユーザーデバイスのスクリーン上に広告を表示するため、広告サーバーから受け取った前述の属性が、時間、形状、位置およびサイズの形態のものであることを特徴とする請求項１に記載の方法。
【請求項１２】
広告を表示する方法のフォームに、テキスト、オーデオ、写真、ビデオ、２Ｄ映像、３Ｄ映像、イメージ、アニメーション、動画、バナー、ウェブリンク、ハイパーリンク、添付ファイル、フラッシュ、ＳＭＳ、ｍｍｓ、電子メールの１つが含まれることを特徴とする請求項１に記載の方法。
【請求項１３】
別なスクリーンが、ユーザーデバイスのメインスクリーンまたは、ＳＭＳ、電子メール、メッセージ、ソシアルネットワークメッセージポスト、広告、ニュース、またはこの第２スクリーン上のその他のデジタルコンテンツをこのスクリーン上で、ネットワークからデバイスに到着したとき、またはデバイス上に記憶された後、メインスクリーンのコンテンツと混ざるか、当該コンテンツを変えることなく見るため、メインスクリーンに追加された当該デバイス上の第２表示スクリーン上に用意された分割表示装置であることを特徴とする請求項１に記載の方法。
【請求項１４】
ユーザーデバイス上の前述の別なスクリーンが、アルファベット数値キーパッドの頂部または下およびメインスクリーン上位置していることを特徴とする請求項１３に記載の方法。
【請求項１５】
前述の別なスクリーンがキャンデーバー、クラムシェルおよびスライダー型デバイスの形の１つを含むことを特徴とする請求項１３に記載の方法。
【請求項１６】
前述の表示スクリーンが、ＬＣＤ(液晶表示装置)、ＬＥＤ(発光ダイオード表示装置)、ＥＩｎｋ(電子インキ表示装置)、ＯＬＥＤ(有機発光ダイオード表示装置)、ＰＬＥＤ(ポリマー発光ダイオード表示装置)、ＡＭＯＬＥＤ(活性マトリックス有機発光ダイオード表示装置)、ＦＥＤ(電界放射表示装置)、ＩＭＯＤ(干渉モジュレータ表示装置)およびプラズマからなるグループの中から選ばれることを特徴とする請求項１３に記載の方法。
【請求項１７】
ユーザーデバイス上の広告が、音声アナウンスを通してユーザーに通知されることを特徴とする請求項１に記載の方法。
【請求項１８】
ユーザーデバイス上に広告を表示するシステムにおいて、
通信ネットワーク利用可能広告サーバーおよびユーザーデバイス上の広告モジュールに通信リンクを確立するネットワークを含み、
ユーザーデバイスのインプット周辺機器および押し込まれたデータからコンテンツをアウトプット周辺機器に入力するユーザーのアクションに答えて、コンテンツを抽出し、抽出されたコンテンツからアルファベット数値文字を識別し、更に、アルファベット数値文字からの意味を持つ文字のワードを形成するため、当該文字をユーザーメモリー中に記憶させ、前述のキーワードをランダム化して、広告サーバーに送り、
広告を前述のワードの文字に基づいて、リモートサーバーから、ユーザーデバイス上に引き出し、引き出した広告をユーザーデバイス上のメモリー中に記憶させ、ユーザーデバイス上に表示すべき広告用の属性を受け取るため、広告モジュールが導入され、
ユーザーデバイスのメインスクリーン上または別なスクリーン上に広告が表示されることを特徴とするシステム。
【請求項１９】
ユーザーデバイスがネットワーク使用可能デバイスであることを特徴とする請求項１８に記載のシステム。
【請求項２０】
ユーザーデバイスが、１つまたはそれ以上の携帯電話またはＰＤＡ、もしくはスマート電話、または機能電話、またはスマートブック、もしくは、タブレットＰＣまたはＰＣもしくはノートブックまたはネットブックもしくはデジタル額縁、または携帯メデアプレーヤー、もしくは音楽プレーヤー、またはビデオプレーヤー、デジタルＴＶ、ＩＰＴＶ、アナログＴＶ、セットップボックス、台所用装置、デジタル時計、カー情報デバイスおよびナビゲーションデバイスを含むことを特徴とする請求項１８に記載のシステム。
【請求項２１】
別な表示スクリーンが、ユーザーデバイスのメインスクリーン上に用意された分割表示装置であることを特徴とする請求項１９に記載のシステム。
【請求項２２】
ユーザーデバイス上の別なスクリーンが、アルファベット数値キーパッドの頂部または下およびメインスクリーン上に位置していることを特徴とする請求項２１に記載のシステム。
【請求項２３】
別な表示スクリーンがキャンデーバー、クラムシェルおよびスライダー型デバイスの形の１つを含むことを特徴とする請求項２２に記載のシステム。
【請求項２４】
前述の表示スクリーンが、ＬＣＤ(液晶表示装置)、ＬＥＤ(発光ダイオード表示装置)、ＥＩｎｋ(電子インキ表示装置)、ＯＬＥＤ(有機発光ダイオード表示装置)、ＰＬＥＤ(ポリマー発光ダイオード表示装置)、ＡＭＯＬＥＤ(活性マトリックス有機発光ダイオード表示装置)、ＦＥＤ(電界放射表示装置)、ＩＭＯＤ(干渉モジュレータ表示装置)およびプラズマからなるグループの中から選ばれることを特徴とする請求項１８に記載のシステム。
【請求項２５】
広告コンテンツをスクロールして入力するため、別なナビゲーションキーパッドを更に含む請求項１８に記載のシステム。
【請求項２６】
前述のキーパッドが、少なくとも５個のボタンを提供するナビゲーションキーパッドであることを特徴とする請求項２５に記載のシステム。
【請求項２７】
前述のボタンがユーザーデバイスのスクリーン上に表示されたコンテンツを読み取るため、左、右、アップ、ダウン、センタースクロールの各機能を提供することを特徴とする請求項２６に記載のシステム。
【請求項２８】
ユーザーデバイスの蒸発性記憶装置および非蒸発性記憶装置に記憶されたデータからコンテンツを抽出するステップを更に含むことを特徴とする請求項１８に記載のシステム。
【請求項２９】
広告が音声アナウンスを通してユーザーに通知されることを特徴とする請求項１８に記載のシステム。
【発明の詳細な説明】
【技術分野】
【０００１】
本発明はデジタル広告の分野に属し、より詳しくは、デジタル広告をネットワークが使用可能な装置上に表示するシステムおよび関連方法あるいは方法に関する。
【背景技術】
【０００２】
商業広告は伝統的にテレビコマーシャル、ラジオコマーシャルおよび雑誌、新聞中の印刷広告の形のものであった。人々は最近、パーソナル コンピュータを使って過ごす時間を益々増やし始めたので、広告がインターネットに広がった。
【０００３】
更に、ネットワークが使用可能な装置の人気が益々高くなり；このような装置のユーザーに広告を届けるビジネスに対する人気が益々高くなる可能性が高まっている。このような装置は、移動電話、ポータブルメディアプレーヤー、小型ファクターＰＣ、あるいは表示装置、タッチスクリーン、動画／ＩＲ／ジェスチャー、キーボードおよびオーデオ機能等を例として含み、ネットワークが使用可能なその他の装置を含み、これらの装置の多くには、カメラ、テキストメッセージ交換能力、電子メール能力、ビデオ再生能力、オーデオ再生能力、映像表示能力、有線あるいは無線接続、記憶等のような機能が含まれる：従って、このような装置は視聴覚広告／あるいはテキスト広告を表示ことができる。
【０００４】
広告主が自分の携帯電話、携帯(情報)端末［ＰＤＡ］および異なったフォーム・ファクターのＰＣであるその他のモバイル機器を通して消費者と結ばれる移動あるいは無線電子広告が最近爆発的に増えている。広告主は携帯電話を使用して例えば、インターネット上のトラビアコンテストに参加することを奨めることがきる。これによって、広告主はこれらのユーザーにクーポンあるいは販売促進オファー送ることを可能にするマーケティングキャンペーンを選んで実施することができる。移動広告や無線広告の利用を含む広告の種類は近年爆発的に増えたが、これらの持つ多くのメリットは完全には利用されていない。従って、より革新的で且つ効果的な使用モードがまだ利用可能かもしれない。
【発明の概要】
【発明が解決しようとする課題】
【０００５】
前述の背景から判断して、デジタル広告のためのシステム、装置および関連方法を提供することが本発明の目的である。
【０００６】
上記のシステムと方法の幾つかの制限にうち勝つ、もしくは当該制限を少なくとも和らげることが本発明の目的である。
【課題を解決するための手段】
【０００７】
本発明の第１局面に基づき、データを受け取るか、データを送るため含まれるインプットおよび／またはアウトプット周辺機器、アプリケーションおよび／または機器ドライバーに適合するコンテンツ、データ、アルファベット数値キーワードの要件を満たして、表示装置、マウス、タッチスクリーン、モーション、ＩＲ、ジェスチャーセンサー、記憶装置、有線ポートあるいは無線ポート、センサー、カメラ、キーボードおよびオーデオインプットおよびまたはオーデオアウトプット機能を含む、ネットワーク利用可能装置上に、広告をリアルタイムに行う方法が提供される。
【０００８】
本発明の第２局面に従って、ユーザーデバイス上にデジタル広告を行う方法が提供される。但し、当該方法は以下のステップからなるものとする：コンテンツ、キーワードもしくはアクションを、キーボード、タッチセンサー、モーションセンサー、カメラセンサー、ＩＲセンサー、マウス、記録されたオーデオ、有線あるいは無線ポートのようなインプット周辺装置によって受け取られたデータおよび表示スクリーンやオーデオアウトプット、または無線ポート／有線ポートのようなアウトプット周辺機器に送られるデータから、もしくはインプットアウトプット周辺機器のデバイス上のコンテンツの記憶あるいは移送から抽出するステップ、アルファベット数値文字およびキーワードを抽出されたコンテンツから識別して抽出するステップ、前述の文字をユーザーデバイスの揮発性メモリーあるいは非揮発性メモリー中に記憶させるステップ、当該文字から意味を持つワードを形成し、それをランダム化するステップ、当該アルファベット数値文字および／またはキーワードに基づきサーバーから広告コンテンツを引き出し、随意に、引き出した広告をユーザーデバイス上のメモリーの中に記憶するステップ、ユーザーのデバイス上に表示すべき広告のための属性を受け取るステップおよび当該広告を前述の属性に従って、特別なフォームを持ち、特別な場所にあるメインスクリーンおよび／または独立スクリーン上に表示するステップ。
【０００９】
本発明の第３局面に従って、デジタル広告を実行するため、ユーザーデバイスに対するサポート運転が可能なネットワークを含むシステムが提供される。但し、当該ユーザーデバイスはコンテンツを抽出するに適した広告モジュールを含み、抽出したコンテンツからアルファベット数値文字とキーワードを識別して、当該文字とキーワードを随意にデバイスメモリー中に記憶するものとする。前述のモジュールは、ユーザーデバイス中に記憶されている文字からワードの意味を持つ文字を形成するよう改作され、その後、順序を問わず、これらをランダム化する。
【００１０】
本発明の第４局面の要件を満たすシステムは、ユーザーデバイスのネットワークの中で交信運転が可能なサーバー、および広告コンテンツにマッチさせ、ワードの重要なアルファベット文字に基づき広告コンテンツを引き出すための広告モジュールを含み、ユーザーデバイス上に表示すべき広告用の属性と一緒に広告をサーバーから、ユーザーデバイスに送り、更に前述の属性に従って、当該広告をユーザーのネットワーク利用可能なデバイスのメインスクリーン上または独立したスクリーン上に表示する。
【００１１】
本発明の第５局面に従って、広告を多重タスク処理アプリケーションの一部として表示するため、メインスクリーンとその上のオペレーションを妨げることなく、独立した表示スクリーンがユーザーデバイス上に提供される。前述の独立したスクリーン上に表示された広告コンテンツをスクロールして入力する小型ナビゲーションパネル／キーパッドも、ユーザーデバイス上に用意されている。更に、前述の広告を目的として、分割表示装置をユーザーデバイスのメインスクリーン上に用意することができる。
【００１２】
本発明の第２局面で述べたように、ユーザーデバイスは、ネットワーク可能デバイスである。前述のネットワーク可能デバイスは、１つまたはそれ以上の移動電話、ＰＤＡ(携帯端末)、スマートフォン、機能電話、スマートブック、タブレットＰＣ［パーソナルコンピューター］、ＰＣ［パーソナルコンピュター］、ノートブック、ラップトップまたはネットブックまたはデジタル絵画用額縁、あるいは携帯メディアプレーヤー、または音楽プレーヤー、あるいはビデオプレーヤー、またはデジタルＴＶ、もしくはＩＰＴＶ、またはアナログＴＶ、もしくはセットトップボックス、または台所用品もしくはデジタル クロック、またはカー情報装置、もしくはナビゲーション装置、または電子装置またはＴＶのリモコンもしくはもう１個の表示スクリーンおよび１つまたはそれ以上のオーデオスピーカーまたはヘッドホン用コネクターポート、１つまたはそれ以上のキーまたはキーパッド、多機能周辺装置およびインプットアウトプットポートを持ち且つプロセッサ／チップセットに固有な１つまたはそれ以上のアプリケーションを含むその他のデバイスである。本書中の上に述べたネットワークには、インターネットまたはイントラネットもしくはグループに近い個人または大衆に対するピアーツーピアーまたは放送ネットワークもしくは無線ネットワークが含まれる。
【００１３】
コンテンツを抽出するステップには、１つまたはそれ以上の表示スクリーンと関連するフレームまたはウインドウバッファーのテキストまたはグラフィックのようなコンテントを、もう１つのネットワーク使用可能デバイスに移転するのに使用するデバイスに接続されたかそのデバイスの表示(第１および30第２)スクリーン上に表示されるデバイスの揮発性または非揮発性内部および外部メモリーまたはメモリーデバイス、またはポート中のマイクロフォンまたはオーデオ装置から受け取ったオーデオ情報をスピーチからテキストに変換した揮発性または非揮発性メモリーのコンテンツ、または有線あるいは無線または衛星もしくはラジオ通信から搬送するのに使用するすべてのタイプのコンテンツから、テキスト表示か映像表示に対して中心的あるいは個別に責任があるオペレーテングシステムの一部として、ソフトウェアアプリケーションおよびデバイスドライバーの中にある機能とインターフェース、異なったアルファベット数値キーから押されたキー、またはキー／キーパッドコンテントバッファー、コンテンツおよび／またはファイルの記憶またはコンテンツおよび／またはファイルの移転から抽出するステップ、シングル／マルチ／フィンガー／抵抗／静電容量／索針をベースとするタッチスクリーンまたはマウスクリックバッファーにより押されたスクリーン上に位置するコンテンツの抽出であることができるステップ、またはモーション／ジェスチャー／ＩＲセンサーバッファーによって位置決めされたスクリーン上に位置するコンテンツの抽出であることができるステップが更に含まれる。
【００１４】
前述のコンテンツから抽出したアルファベット数値文字は、桁、数、テキスト、ワードおよびストリングで、これらの文字は、蒸発性または非蒸発性メモリー中のもう一つのバッファーに、ユーザーのプライバシーを保護するため、同じシーケンスまたは記録／抽出のオーダーではないランダムファッションで記憶される。 これらはその後、デバイス上の相対広告を引き出すため、中央および／または分散広告サーバーに送られる。ユーザーデバイスのスクリーン上の広告の表示装置１０のためサーバーから受け取った属性は、ユーザープロフィール、広告の繰り返しカウント、時間、フォーム、位置おうよびサイズ並びに対応するその他のデータのフォームのものである。
【００１５】
更に、材料を広告し、デバイス上で再生する方法は、テキスト、オーデオ、写真、ビデオ、２Ｄ映像、３Ｄ映像、イメージ、アニメーション、動画、バナー、ウェブリンク、ハイパーリンク、添付ファイル、フラッシュ、ＳＭＳ、ｍｍｓ、電子メール等の方法であることができる。
【００１６】
本発明の第３局面および第４局面に基づき、ユーザーデバイスのメモリーに記憶した文字から意味を持つキーワードを形成し、当該キーワードをランダム化するため、コンテンツを抽出し、抽出されたコンテンツからアフファベット数値文字を識別し、当該文字をデバイスメモリーに記憶し、更に前述のキーワードに基づき、広告にマッチさせ、リモートサーバーからネットワーク利用可能デバイス上に引き出し、その後、広告表示アプリケーションあるいはサーバーからネットワーク上に引き出され、これらのコンテンツに基づきデバイス上に記憶された該当する広告の表示プリケーションあるいは、コンテンツの表示およびプレーバック用であったアプリケーションに引き渡すよう適正化された手段が提供される。
【００１７】
本発明の第５目的に従って、引き出された広告および広告を表示するアプリケーション並びにＳＭＳ、電子メール、メッセージ、ビデオ、イメージの他のテキストを、これらのスクリーン中でマルチタスクアプリケーションの一部として見るため、メインスクリーンではない、アルファベット数値キーパッド、タッチスクリーンおよびキャンデーバーまたはクラムシェルあるいはスライド式デバイスの下の頂部に位置させることができるキーワードメインスクリーンの場所に別な表示スクリーン３０が用意される。
【００１８】
本発明に基づくユーザーデバイスの表示スクリーンを、ＬＣＤ(液晶表示装置)、ＬＥＤ(発光ダイオード表示装置)、ＥＩｎｋ(電子インキ表示装置)、ＯＬＥＤ(有機発光ダイオード表示装置)、ＰＬＥＤ(ポリマー発光ダイオード表示装置)、ＡＭＯＬＥＤ(活性マトリックス１０有機発光ダイオード表示装置)、ＦＥＤ(電界放射表示装置)、ＩＭＯＤ(干渉モジュレータ表示装置)、プラズマからなるグループの中から選んだいずれかのタイプのものにすることができる。
【００１９】
本発明は、スポーツ、保健娯楽、政治、耐久消費財、一般知識、書籍、白物商品、消費財、食料雑貨、ファッション、アパレル、電子機器等のような広告のカテゴリーを選択する機会をユーザーに与えることも考慮する。 本発明のテクニックは更に、インターネット上の２Ｄ／３Ｄ／アニメ化／ビデオ 仮想モール、各ブランドオーナーの仮想店舗および各仮想モールもしくは特定ブランドのショップの中で行う広告に使用することができる。
【００２０】
前の欄は、発明の幾つかの局面に理解を提供する発明の単純化された概要である。 この要約は発明とその様々な実施形態の広範囲な概観でも、徹底的概観でもない。 それは、発明のキーエレメントあるいは重大なエレメントを識別し、発明の範囲を描くことではなく、発明の選ばれた概念を単純化した形で、以下に提示した明細説明に対するイントロダクションとして提出するよう意図されている。 発明のその他の実施形態は高く評価されるように、上に規定した特徴の１つまたはそれ以上を単独で利用するか、組み合わせて利用することができる。
【発明の効果】
【００２１】
本発明によれば、デジタル広告のためのシステム、装置および関連方法において、システムと方法の幾つかの制限にうち勝つ、もしくは当該制限を少なくとも和らげることが可能となる。
【図面の簡単な説明】
【００２２】
【図１】図１はネットワークが使用可能なユーザーデバイスの例証図を、広告を表示するために使用できる表示スクリーンと一緒に示す。
【図２】図２は本発明に基づく図１のユーザーのネットワーク使用可能デバイスの適切な部分のブロックダイアグラムを示す。
【図３】図３はその中で図１のネットワーク使用可能デバイスを運転することが許される、本発明に基づくシステムのブロックダイアグラムを示す。
【図４】図４は、ネットワーク使用可能デバイス上に広告を表示するプロセスのフローチャートを示す。
【図５】図５は、ネットワーク使用可能デバイス上に広告を表示するプロセスのフローチャートを示す。
【発明を実施するための形態】
【００２３】
以下、本発明の実施の形態について図面を参照して説明する。
【００２４】
なお、添付図面中の同等なコンポーネントおよび／または機能に同じ引用ラベルを付けてもよい。更に、同じタイプの様々なコンポーネントを、同等なコンポーネントを区別する文字によって引用ラベルを追跡することによって、他と区別するこができる。 第１引用ラベルだけを仕様中に使用する場合、説明は、第２引用ラベルと関係なく、同じ引用ラベルを持つ同等なコンポーネントのいずれの１つにも適用される。
【００２５】
また、本特許文書全体（出願時の本明細書、特許請求の範囲、要約書、図面）を通して使用されている"include"および "comprise"なる単語、並びにこれらの派生語は、「限定することなく含む」なる意味を有し、"or"なる単語は、and／orの意味をに含むものとする; "associated with"および"associated therewith"なる句、並びにこれらの派生句は、include、be included within、interconnect with、contain、be contained within、connect to or with、couple to or with、be communicable with、cooperate with、interleave、juxtapose、be proximate to、be bound to or with、have、have a property of なる語または句もしくはこれらと同等な句または語を意味させてもよい。 或る特定の単語と句のための定義を本文書全を通して提供する。 この分野の普通の技能を有する人々は、最も多くはない多くの場合、当該定義は、定義されたこのような語や句の事前使用並びに将来の使用に適用されると理解すべきである。
【００２６】
例証を目的として、移動デバイス／携帯電話を含めてもよいユーザーのネットワーク使用可能デバイス上に広告を表示する文脈中で、発明を主に説明する。 しかし、発明は移動デバイス／携帯電話の文脈に限定するよう意図されていないことは高く評価される。発明は、その例に以下が含まれる適切な電子デバイスに関する：機能電話またはスマート電話、またはスマートブックまたはタブレットＰＣまたはＰＣもしくはノートブックまたはラップトップもしくはネットブックまたはデジタル写真用額縁もしくは携帯メディアプレーヤーまたは音楽プレーヤーもしくはビデオプレーヤー、デジタＴＶ、IP ＴＶ、アナログＴＶ、セットトップボックス、台所用装置器具、デジタル時計、カー情報装置およびナビゲーションデバイス。
【００２７】
発明が認められるように、広告を２Ｄ／３Ｄ／アニメ／インターネット上のビデオ仮想モール、各ブランドオーナーの仮想ショップと製品および特定ブランドの各仮想モールまたはショップもしくは製品を介して表示するプロセスに適用してもよい。 広告のこの方法で、ユーザ−はすべての仮想モールまたは仮想ショップの中でユーザーネームとパスワードを使ってログインし、インターネットへのアクセス手段を持つ自身のネットワーク使用可能デバイスに添付されているマウスをクリックするかキーボタンを押して製品を選択することができる。 見て聞くのに費やした時間および行ったクリック操作の回数と訪問したショップの数およびネットワーク使用可能デバイスから、インターネット上の仮想モールやショップでユーザーが見た製品と広告の数はユーザーのデバイス上に記録、記憶され、サーバーに押しやられる。インターネット上のこれらの仮想モールおよびショップ中で、見る／聞く行為に費やした時間あるいはクリックした広告の数または訪問したショップの数に対する金銭に関するか、あるいは報酬、ギフト、割引クーポン、オファー、バウチャー等に関する収入のシェアが支払われるか付与される。この広告の上をクリックして、ブランドオーナーの同じ仮想ショップまたはモールもしくはウェブサイトで買い物をすると、この購買活動は記録され、同じユーザーによってクリックされたその広告のため、クリックした広告とブランドオーナーのウェブサイトで買った製品の間の相違に関する和解をオーナーに対して利用することができる。
【００２８】
図１と図２に、モバイルデバイス１０１を示す。モバイルデバイスには、広告モジュール２０７が含まれている。広告モジュール２０７の明細と運転方法を以下で説明する。広告モジュールは、モバイルデバイス１０１の中に記憶され、当該デバイスによって実行される実行可能コードの形で具体化することができる。広告モジュールは、独立したソフトウェアアプリケーションであることができ、モバイルデバイス１０１に関連する追加のタスクを実行するソフトウェアの一部を形成することができる。ソフトウェアプログラムの形態の広告モジュールは、コンピュータまたはコンピュ−タが読み込み可能なメデアの中に記憶され得る。
【００２９】
モバイルデバイス１０１には、表示装置２１０が含まれている。表示装置２１０は、ユーザーに対して、電話番号、連絡先情報および様々なナビゲーションメニュ−、モバイルデバイスが受け取り、モバイルデバイス１０１のメモリー２１３(図２参照)から復元されたコンテンツのような情報を表示する。モバイルデバイスは、上に述べた情報を追加のナビゲーションキーパッド２１２と共に表示するため、１つまたはそれ以上の表示スクリーンを持つことができる。
【００３０】
キーパッド２０９は様々なユーザーインプットオペレーションを規定する。例えば、キーパッド２１２には大抵、電話番号、連絡先情報、メモ等の入力を可能にするため、アルファベット数値キーが含まれる。特別機能キー１０２には、メイン表示装置上またはモバイルデバイス１０１の追加表示スクリーン上に表示されたメニューを通してナビゲートするための追加の表示スクリーン２１１上に表示されたメニューを通してナビゲートすることを可能にするメニューナビゲーションを含めることができる。
【００３１】
モバイルデバイス１０１は、モバイルデバイス１０１が、コール信号または交換信号をモバイルデバイス、インターネットウェブサーバー、広告サーバー等を含むコンテンツプロバイデングサーバーのようなｃａｌＬＥＤ／ｃａｌｌｉｎｇデバイスを使って確立することを可能にするコール回路を含む。コールは、ボイスオーバーインターネットプロトコール［ＶＯＩＰ］、ビデオ可能コール、コールオーバーＧＳＭ、ＧＰＲＳ、ＣＤＭ、３Ｇコールオーバーおよび、ＷｉＦｉ、ＷｉＭＡＸ等のような代替えパケット切り替え済みネットワークからなるグループの中から選んだいずれかの形態のものにすることができる。
【００３２】
モバイルデバイス１０１はテキストメッセージ、電子メールメッセージ、インスタントメッセージ、マルチメデアメッセージ、イメージファイル等のようなデータを送信、受信、処理するよぅに設定し且つ適合化することができる。このようなデータを処理するステップには、ユーザーがデータと対話することを許すアプリケーションを実行して、データをメモリー２１３の中に記憶させるサブステップを含めることができる。
【００３３】
モバイルデバイス／モバイル電話１０１の機能ブロックダイアグラムを図２に示す。モバイルデバイス１０１は モバイルデバイス１０１の機能とオペレーションの全体管理を実行するよう設定された制御回路２０５を含む。制御回路２０５には、ＣＰＵ［Ｃｅｎｔｒａｌ Ｐｒｏｃｅｓｓｉｎｇ Ｕｎｉｔ］、マイクロコントローラ等のような処理デバイス２０６を含めることができる。処理デバイスは、制御回路２０５の中あるいは別なメモリー２１３の中に記憶されているコードを実行する。メモリーを１つまたはそれ以上のバッファー、フラッシュドライブおよび非揮発性メモリー等にすることができる。
【００３４】
デバイス２０６を処理するステップでは、広告モジュール２０７が実行される。特定のプログラミングコードの明細な説明は、簡潔さを保つために割愛した。更に、広告モジュールの前述の機能は、別な専用ハードウェアまたはそれらの組み合わせによって、発明の範囲を超えることなく実行することもできた。
【００３５】
モバイルデバイス１０１には更に、ラジオ回路と連結されてなる従来の受信機が含まれている。ラジオ回路２０１は従来の送信機と受信機を含んでいる。ラジオ回路２０１はモバイル通信システムを運転するように設定してもよい。当該回路は、データおよびオーデオ ビジュアルコンテンツを受送信するのに使用するこができる。モバイルラジオネットワークおよび放送ネットワークと対話するタイプの受信装置には、ＧＳＭ（登録商標）、ＣＤＭＡ、ＷＣＤＭＡ、ＧＰＲＳ、３Ｇ、ＷｉＦｉ、ＷｉＭＡＸ等並びにこれらの基準の最新バージョンが規定する要件を満たすものが、限定することなく含まれる。
【００３６】
表示装置２１０または追加表示装置２１１は、ビデオデータを表示装置２１０あるいは追加表示装置２１１を駆動するのに使用するビデオ信号に変換するビデオ処理回路２０８によって、制御回路２０５に連結することができる。１つまたはそれ以上のＩ／Ｏインタフェース２１５および電源ユニット（ＰＳＵ）２１６、カメラ２１４およびアクセサリとの接続および他のモバイル電話への接続を確立するためのＢｌｕｅｔｏｏｔｈインターフェースのようなローカル無線インターフェース２１７のようなモバイルデバイス１０１の中に他の部品が存在している。
【００３７】
通信システム３００の一部として運転するよう設定したモバイルデバイス１０１を図３に示す。システムは、サーバー３０２またはコールのマネジメントと一緒に様々な支援機能を実行するためのサーバーを持つ通信ネットワーク３００を含む。 サーバー３０２は送信チャネルを介してモバイルデバイス１０１と交信する。送信チャンネルは、セル方式無線電話塔、もう一つのモバイルデバイス、人工衛星等を限定することなく含む適切なデバイスまたはアセンブリーである。サーバー３０２は、高く評価されるかもしれないように、モバイルデバイス１０１の広告モジュール２０７と対話する広告機能を記憶し且つ実行するよう設定することができる。広告サーバー３０２とモバイルデバイス１０１の広告モジュールの間で行われる対話の明細を以下で詳しく説明する。
【００３８】
図４と図５に、ユーザーデバイス上に広告を表示する模範的方法を例証する。模範的方法は、ユーザーデバイスによって遂行される方法に含まれるステップを描写するものと考えることができる。
【００３９】
ステップ４０１で、ユーザーデバイス上にコンテンツを入力するアクションに答えて、コンテンツが、ユーザーデバイスのインプット周辺機器によって受信されたデータおよび／または当該デバイスのアウトプット周辺機器に押し込まれたデータから抽出される。更に、コンテンツが１つまたはそれ以上の表示スクリーンおよびソフトウェアインターフェースまたはテキストを表示スクリーン上に責任をもって表現する機能、異なったアルファベット数値キーから押されたーキーに添付された１つのフレームまたはウィンドウ バッファー、キー／キーパッドコンテントバッファー、指、抵抗、静電容量、索針をベースにしたシングル、マルチプル タッチスクリーンによって押されたスクリーン上の場所、モーションまたはジェスチャーもしくはＩＲセンサーバッファー、Ｂｌｕｅｔｏｏｔｈ（登録商標）、ＷｉＦｉ、ＬＡＮ等によって位置決めされたスクリーン上の場所、またはファイルの記憶場所またはデバイスのメモリーまたはデバイスに接続されたメモリードライブからか、向けたファイルの移転およびコンテンツ、および、メモリー中のポートの中のマイクロフォンまたはオーデオから受信されたオーデオのスピーチからテキストへの変換によって得られたコンテンツからから抽出される。 更に、コンテンツは、インプット周辺機器およびアウトプット周辺機器からの抽出に加え、ユーザーデバイスの蒸発性メモリーおよび非蒸発性メモリーに記憶されているデータからも抽出される。
【００４０】
ステップ４０１に述べたように、インプット周辺機器には、キーボード、タッチスクリーン、モーションセンサー、カメラセンサー、ＩＲ センサー追跡パッド、スクロール ホィール、オーデオレコーダーまたはインプットマイクロフォンまたはその他のオーデオ入力ポート、ソフトウェアまたはソフトウェアをベースにしたスピーチ／テキストコンバータ、蒸発性メモリーまたは非蒸発性メモリー、Ｂｌｕｅｔｏｏｔｈ、ＷｉＦｉ、ＬＡＮ(ローカル エリア ネットワーク)、ＵＳＢ （ｕｎｉｖｅｒｓａｌ ｓｅｒｉａｌ ｂｕｓ）、ＵＡＲＴ （ｕｎｉｖｅｒｓａｌ ａｓｙｎｃｈｒｏｎｏｕｓ ｒｅｃｅｉｖｅｒ ｔｒａｎｓｍｉｔｔｅｒ）、ＲＳ232、ＪＴＡＧ （Ｊｏｉｎｔ ｔｅｓｔ ａｃｔｉｏｎ ｇｒｏｕｐ）、すべてのシリアルポートまたはパラレルポート、紙またはその他の材料に書くために使用する時、データを記録するのに使用する電子ペンおよび通常のスマートペンを含めることができる。
【００４１】
前述のユーザーデバイスは、本書で述べたように、ネットワーク使用可能デバイスで、当該ネットワークには、インターネットまたはイントラネット、個人か法人に近いグループまたは放送ネットワークもしくは無線ネットワークおよびアナログネットワークかデジタルネットワークをピアツープアに含めることができる。ネットワーク使用可能デバイスには更に、１つまたはそれ以上の携帯電話／モバイルデバイス、ＰＤＡ［デジタル携帯端末］、スマートフォン、機能電話、スマートブック、タブレットＰＣ、ＰＣ、ノートブック、ラップトップ、ネットブック、デジタル額縁、携帯メディアプレーヤー、音楽プレーヤー、ビデオプレーヤー、デジタルＴＶ、ＩＰＴＶ、アナログＴＶ、セットトップボックス、キッチン装置、デジタル時計、カー情報デバイス、ＶＯＩＰ電話、ＩＰ電話、ＴＶのリモコンあるいはすべての電子機器とナビゲーションデバイスを含めることができる。
【００４２】
ステップ４０２で、アルファベット数値文字は識別されて、ステップ４０１で抽出されたコンテンツから抽出される。識別されたアルファベット数値文字は桁数、数、テキスト、ワードおよびストリングを含んでいる。 ステップ４０２で識別されたアルファベット数値文字は、ステップ４０３でユーザーデバイスのメモリーの中に記憶される。識別されたアルファベット数値文字は、ユーザーデバイス１０１の中に、記録と抽出のときと同じシーケンスまたはオーダーでないランダムな形態で記憶される。アルファベット数値文字を記憶した後、ステップ４０４で、意味を持つキーワードが形成される。意味を持つキーワードが形成された後、ステップ４０５で、当該キーワードはダンダム化される。キーワードをランダム化した後、ステップ４０６で、当該キーワードは、ネットワーク３０１の上にあるサーバー３０２に送られる。ネットワーク３０１には、インターネットまたはイントラネットあるいは個人または法人に近いグループあるいは放送ネットワークまたは無線ネットワークおよびアナログまたはデジタルネットワークが含まれている。ステップ４０７で、広告コンテンツは、サーバー３０２に送られたワードの当該文字に基づき、広告サーバー３０２から引き出され、引き出された広告はユーザーデバイス１０１のメモリー213中に記憶される。
【００４３】
図５は、図４中に描いたプロセスステップの更なるステップを描いたものである。ステップ４０７で、引き出された広告がユーザーデバイス上に記憶された後、ステップ５０１で、広告のための属性が広告サーバー３０２から受信され、ユーザーデバイス１０１のメモリー２１３の中に記憶されている広告が、ステップ５１０で、当該属性に基づき、ユーザーデバイス１０１の別なスクリーン上に表示される。広告をユーザーデバイス１０１のスクリーン上に表示するため、広告サーバー３０２から受け取った当該属性は、時間、フォーム、位置およびサイズの形態のものである。 広告は音声のアナウンスによってユーザーに知らされる。ステップ５１０で広告を表示するフォームには、テキスト、オーデオ、写真、ビデオ、２Ｄ、３Ｄグラフィックス、映像、アニメーション、動画、バナー、ウェブリンクおよびハイパーリンク、ファイル添付、フラッシュ、ＳＭＳ、ｍｍｓ、電子メールを含めてもよい。
【００４４】
上に述べたような別なスクリーンは、ＳＭＳ［Ｓｈｏｒｔ Ｍｅｓｓａｇｅ Ｓｅｒｖｉｃｅ］、電子メール、メッセージ、ソシアルネットワークメッセージポスト、広告、ニュース、またはこの第２スクリーン上のその他のデジタルコンテンツを、デバイス上に記憶された後、メインスクリーンのコンテンツを混ぜるか変えることなく見るため、ユーザーデバイスのメインスクリーンまたはメインスクリーンに追加されたデバイス上の第２表示スクリーン上に用意された分割表示装置である。ユーザーデバイス上の当該表示スクリーンは、アルファベット数値キーパッドおよびメインスクリーンの頂部上または下に位置している。前述の別なスクリーンには、キャンデーバー、クラムシェルおよびスライダー型のデバイスの形の１つを含めることができる。ユーザーデバイス１０１の表示スクリーンには、ＬＣＤ(液晶表示装置),ＬＥＤ(発光ダイオード表示装置)、ＥＩｎｋ(電子インキ表示装置)、ＯＬＥＤ（有機発光ダイオード表示装置)、ＰＬＥＤ(ポリマー発光ダイオード表示装置)、ＡＭＯＬＥＤ(活性マトリックス有機発光ダイオード表示装置)、ＦＥＤ(電界放射表示装置)、ＩＭＯＤ(干渉モジュレータ表示装置)、プラズマを含めることができる。
【００４５】
もう１つの具体化は現在の発明を使った収入シェアテクニックを考慮する。即ち、ユーザーが表示スクリーンの幾つかのフォームを持ち、ネットワーク使用可能タイプであるデバイス上で、広告の上をクリックするか、広告を掲載することを許すか、特定時間広告を見るか、広告を見て聞いて時間を費やすか、対話をベースに、広告に答えるか、広告に従事するか、市場調査および市場フィードバックの書式またはブランドオーナ−のその他の書式に記入するかとき、ユーザーには、発行人、広告コンテンツブランド所有者と末端消費者の間の収入シェアモデルに基づき金銭が支払われる。支払いは、ユーザーの銀行口座への振り込み、異なったブランドオーナーと一緒に行使することができるギフトまたは報酬もしくは割引あるいはバウチャーまたはカードによる方法で行うことが出来る。
【００４６】
広告システムとその方法に対する前述の説明は、例証と説明を目的としているが、特許が請求された主題が包括的であるか、当該主題を開示された正確なフォームに限定するよう意図されるものではない。上述を考慮すると、多くの改良と変形が可能である。このように、発明の範囲はこの明細書の説明によるものではなく、むしろ、ここに添付された請求項によって制限されるよう意図されている。
【図１】
2013522700.tif 000003
【図２】
2013522700.tif 000004
【図３】
2013522700.tif 000005
【図４】
2013522700.tif 000006
【図５】
2013522700.tif 000007
【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
以下のステップを順不同に含むことを特徴とする、ネットワーク使用可能デバイス上に文脈キーワードをベースにした広告を行う方法：
少なくともテキストおよびコンテンツを、コンテンツをネットワーク使用可能デバイス上に入力/移送するユーザーのアクション、インプット周辺機器からデータを移送するユーザーのアクションおよび前述のネットワーク使用可能デバイスのアウトプット周辺機器に押し出され、および/または移送されたデータに応答して、抽出するステップ;
オペレーテングシステムカーネル層またはデバイスドライバーもしくはアプリケーションまたはインプット周辺機器およびアウトプット周辺機器から捕獲、および/または当該機器への付与に対してそれぞれ責任を有するOSにおける中央機能またはアプリケーション層中のテキスト、キーワード、コンテンツを抽出するステップ;
抽出されたテキストおよびコンテンツからアルファベット数値文字およびキ−ワードを識別して抽出するステップ;
当該アルファベット数値文字およびキーワードをネットワーク利用可能デバイスのメモリーモジュールの中に記憶させるステップ;
前述のアルファベット-数値文字から意味を持ったキーワードを形成するステップ;
意味を持ったキーワードをランダム化するステップ;
前述の意味を持ったキーワードを、アプリケーション名/コンテンツ名/そこから当該キーワードが遠隔広告サーバーに抽出されるURLと一緒に、送信するステップ;
少なくとも１つの広告、販売促進、情報とコンテント、アプリケーション、登録ウェブサイトと関連情報を含む探索結果を、広告サーバーから、当該意味を持ったキーワードに基づき、復元するプロセス;
当該広告サーバーから復元されたコンテントに対応する属性を受け取り、当該コンテントを当該属性に基づき、ネットワーク使用可能デバイスのメインスクリーンまたは独立した別なスクリーン上に表示するステップ。
【請求項２】
コンテンツを抽出するステップに以下のサブ ステップが更に含まれることを特徴とする請求項１に記載の方法；
コンテンツを、１つまたはそれ以上の表示スクリーンおよびソフトウェアインターフェースまたはテキストを、表示スクリーン上に責任をもって納める機能、異なったアルファベット数値キーから押されたーキーに添付された１つのフレームまたはウィンドウ バッファー、キー/キーパッドコンテントバッファー、指、抵抗、静電容量、索針をベースにしたシングル、マルチプル タッチスクリーンによって押されたスクリーン上の場所、モーションまたはジェスチャーもしくはIRセンサーバッファー、Bluetooth、WiFi、LAN等によって位置決めされたスクリーン上の場所、またはファイルの記憶場所またはデバイスのメモリーまたはデバイスに接続されたメモリードライブからか、向けたファイルの移転およびコンテンツ、および、メモリー中のポートの中のマイクロフォンまたはオーディオから受信されたオーディオのスピーチからテキストへの変換によって得られたコンテンツから抽出するサブステップ。
【請求項３】
テキストとコンテンツを、前述のネットワーク使用可能デバイスの揮発性記憶装置または非揮発性記憶装置に記憶されているデータから抽出するステップを更に含むことを特徴とする請求項１に記載の方法。
【請求項４】
前述のインプット周辺機器に、キーボード、タッチスクリーン、モーションセンサー、カメラセンサー、IRセンサー、トラックパッド、スクロール ホィールまたはインプット マイクロフォンまたはそのた一切のオーディオインプットポート、ソフトウェアまたはハードウェアをベースにしたオーディオ/テキスト コンバーター、揮発性または非揮発性メモリー、Bluetooth、WiFi、LAN、USB、UART、RS232、JTAG (ジョイント テスト アクショングループ)/すべてのシリアルまたはパラレルポート、電子機器および紙またはその他の材料に書くため使用されるとき、デジタルデータを記録するため使われる通常のスマートペンが含まれることを特徴とする請求項１に記載の方法。
【請求項５】
前述のアウトプット周辺機器が表示スクリーン、ファイル貯蔵装置から出力されたオーディオ、hdmiポート、spdifポート、揮発性メモリーと非揮発性メモリー、ヘッドフォンまたは受話口、Bluetooth、WiFi、LAN、USB、UART、RS232、JTAG、すべてのシリアルポートまたはパラレルポートを含むことを特徴とする請求項１に記載の方法。
【請求項６】
前述のネットワークがインターネットまたはイントラネット、個人または法人に近いピアツーピア グループまたは放送ネットワーク、無線ネットワークおよびアナログまたはデジタルネットワークを含むことを特徴とする請求項１に記載の方法。
【請求項７】
前述のネットワーク使用可能デバイスが、携帯電話、PDA [デジタル形態端末]、スマートフォン、機能電話、スマートブック、タブレットPC、PC、ノートブック、ラップトップ、ネットブック、デジタル額縁、携帯メディアプレーヤー、音楽プレーヤー、ビデオプレーヤー、デジタル TV、IP TV、アナログTV、セットトップボックス、キッチン装置、デジタル時計、カー情報デバイス、VOIP電話、IP電話、TVのリモコンあるいはすべての電子機器とナビゲーションデバイスからなるネットワーク使用可能デバイスのグループの中から選ばれることを特徴とする請求項１に記載の方法。
【請求項８】
前述のアルファベット数値文字が桁、ナンバー、テキスト、ワードおよび列を含むことを特徴とする請求項１に記載の方法。
【請求項９】
前述のアルファベット数値文字が、前述のネットワーク使用可能デバイスのメモリーデバイスの中に、記録と抽出の順序ではないランダムな順序で記憶されることを特徴とする請求項８に記載の方法。
【請求項１０】
ユーザーデバイスのスクリーン上に広告を表示するため、広告サーバーから受け取った前述の属性が、少なくとも時間、形状、位置およびサイズの形態のものであることを特徴とする請求項１に記載の方法。
【請求項１１】
広告を表示するステップに、テキスト、オーディオ、ピクチャー、ビデオ、２Ｄグラフィック、３Ｄグラフィック、映像、アニメーション、映画、バナー、ウェブリンク、ハイパーリンク、添付ファイル、フラッシュ、SMS、mms、電子メールからなるフォームのグループから選ばれたフォームで広告を表示するステップが更に含まれることを特徴とする請求項１に記載の方法。
【請求項１２】
前述の別なスクリーンが、ユーザーデバイスのメインスクリーンまたは、ＳＭＳ、電子メール、メッセージ、ソシアルネットワークメッセージポスト、広告、ニュース、またはこの第２スクリーン上のその他のデジタルコンテンツをこのスクリーン上で、ネットワークからデバイスに到着したとき、またはデバイス上に記憶された後、メインスクリーンのコンテンツと混ざるか、当該コンテンツを変えることなく見るため、メインスクリーンに追加された当該デバイス上の第２表示スクリーン上に用意された分割表示装置であることを特徴とする請求項１に記載の方法。
【請求項１３】
ユーザーデバイス上の前述の別なスクリーンが、アルファベット数値キーパッドのトップ、アルファベット数値キーパッドの下およびメインスクリーン上からなるグループの中からら選んだ場所に位置していることを特徴とする請求項１２に記載の方法。
【請求項１４】
前述の別なスクリーンの形が、キャンデーバー、クラムシェルおよびスライダーの形からなるグループの中から選ばれることを特徴とする請求項１３に記載の方法。
【請求項１５】
前述の表示スクリーンが、ＬＣＤ(液晶表示装置),ＬＥＤ(発光ダイオード表示装置)、ＥＩｎｋ(電子インキ表示装置)、ＯＬＥＤ(有機発光ダイオード表示装置)、ＰＬＥＤ(ポリマー発光ダイオード表示装置)、ＡＭＯＬＥＤ(活性マトリックス有機発光ダイオード表示装置)、ＦＥＤ(電界放射表示装置)、ＩＭＯＤ(干渉モジュレータ表示装置)およびプラズマからなるグループの中から選ばれることを特徴とする請求項１に記載の方法。
【請求項１６】
ネットワーク利用可能デバイス上の広告の可用性がユーザーにオーディオアナウンスを介して通知されることを特徴とする請求項１に記載の方法。
【請求項１７】
以下を含むことを特徴とし、文脈キーワードをベースにした広告をネットワーク使用可能デバイス上に表示するためのシステム：
通信ネットワーク使用可能広告サーバーおよびネットワーク利用可能デバイス上に位置する広告モジュールに、通信リンクを確立するネットワーク；
但し、前述の広告所ジュールは、少なくともテキストとコンテンツを、コンテンツを入力するユーザーのアクションに応えて、ネットワーク利用可能モジュールのインプット周辺機器およびアウトプット周辺機器に押し出したデータから抽出し、抽出したテキスト、コンテンツから、アルファベット数値文字を識別し、当該アルファベット数値文字から意味を持ったキーワードを形成するため、当該アルファベット数値文字を前述のネットワーク使用可能デバイスのメモリーモジュールの中に記憶させ、当該意味を持ったキーワードをランダム化し、当該ランダム化した意味を持ったキーワードを広告サーバーに送信し；
少なくとも広告をリモート広告サーバーから、前述の意味を持ったキーワードに基づいて復元し、復元した広告を前述のネットワーク利用可能デバイスのメモリーモジュールの中に記憶させ；
ネットワーク利用可能デバイス上に表示すべき広告のための属性を受け取るのに適していることを条件とする。
【請求項１８】
ユーザーデバイスが、１つまたはそれ以上の携帯電話またはＰＤＡ、もしくはスマート電話、または機能電話、またはスマートブック、もしくは、タブレットＰＣまたはＰＣもしくはノートブックまたはネットブックもしくはデジタル額縁、または携帯メディアプレーヤー、もしくは音楽プレーヤー、またはビデオプレーヤー、デジタルＴＶ、ＩＰＴＶ、アナログＴＶ、セットップボックス、台所用装置、デジタル時計、カー情報デバイスおよびナビゲーションデバイスを含むことを特徴とする請求項１７に記載のシステム。
【請求項１９】
別な表示スクリーンが、ユーザーデバイスのメインスクリーン上に用意された分割表示装置であることを特徴とする請求項１７に記載のシステム。
【請求項２０】
ユーザーデバイス上の別な当該スクリーンが、アルファベット数値キーパッドの頂部または下およびメインスクリーン上に位置していることを特徴とする請求項１９に記載のシステム。
【請求項２１】
別な表示スクリーンがキャンデーバー、クラムシェルおよびスライダー型デバイスの形の１つを含むことを特徴とする請求項２０に記載の方法。
【請求項２２】
前述の表示スクリーンが、ＬＣＤ(液晶表示装置),ＬＥＤ(発光ダイオード表示装置)、ＥＩｎｋ(電子インキ表示装置)、ＯＬＥＤ(有機発光ダイオード表示装置)、ＰＬＥＤ(ポリマー発光ダイオード表示装置)、ＡＭＯＬＥＤ(活性マトリックス有機発光ダイオード表示装置)、ＦＥＤ(電界放射表示装置)、ＩＭＯＤ(干渉モジュレータ表示装置)およびプラズマからなるグループの中から選ばれることを特徴とする請求項１７に記載のシステム。
【請求項２３】
前述のネットワーク利用可能デバイスが、広告コンテントをスクロールして入力するため、別なナビゲーションキーパッドを含むことを特徴とする請求項１７に記載のシステム。
【請求項２４】
前述のキーパッドが、少なくとも５個のボタンを提供するナビゲーションキーパッドであることを特徴とする請求項１７に記載のシステム。
【請求項２５】
前述のボタンが、ユーザーデバイスのスクリーン上に表示されたコンテンツを読み取るため、左、右、アップ、ダウン、センタースクロールの各機能を提供することを特徴とする請求項２４に記載のシステム。
【請求項２６】
前述の広告モジュールが、テキストとコンテンツをネットワーク使用可能デバイスの揮発性記憶装置および非揮発性記憶装置に記憶させたデータから抽出するのに適していることを特徴とする請求項１７に記載のシステム。
【請求項２７】
前述の広告の可用性が、音声アナウンスを通してユーザーに通知されることを特徴とする請求項１７に記載のシステム。
【手続補正２】
【補正対象書類名】明細書
【補正対象項目名】全文
【補正方法】変更
【補正の内容】
【発明の詳細な説明】
【技術分野】
【０００１】
本公開特許は、ネットワーク使用可能デバイス上で実効されたアプリケーションおよびコンテンツ中の文脈キーワードを認識して、文脈キーワードに基づいてデジタル広告を生成するプロセスに関する。本公開特許は、より詳しくは、ネットワーク使用可能ネットワーク上で実効されたアプリケーションおよびコンテンツとのインターフェースを介することなく、直接文脈キーワードを抽出するためのシステムに関する。本公開特許は、もっとより詳しくは、文脈キーワードに基づき派生させたデジタル広告をネットワーク使用可能デバイス上に表示するためのシステムと関連方法に関する。
【背景技術】
【０００２】
商業広告は伝統的に、テレビ・コマーシャル、ラジオ・コマーシャルおよび雑誌や新聞中の印刷広告の形のものであった。人々は最近、パーソナル・コンピュータを使って過ごす時間をますます増やし始めたので、広告がインターネットに広がった。文脈上の広告を行う従来の方法には、テレコムキャリアネットワークとサーバー、インターネット、サーチエンジンウェブサイト上の情報およびクッキーの形の情報をインターネットブラウザ上で実効されたウェブページから捕獲するステップが含まれる。広告を行う従来の方法は、テレコムネットワークまたはインターネットに送られないかもしれないが、デバイス上のアプリケーションを介してデバイスの中で消費される、ユーザーによってアクセスされたデータに基づき決めることができるユーザーの文脈を考慮しない。文脈広告を実効する従来のシステムの幾つかは、アプリケーションを交差するキーワード文脈およびインターネットブラウザから離れたデバイス上で実効されたコンテンツに基づいて実効することができない。更に、従来の文脈広告システムのインプリメンテーションは、それがないと、従来の文脈広告が機能できない、テレコムキャリア/テレコムサービスプロバイダーネットワークの有効性に依存する。
【０００３】
更に、ネットワーク使用可能装置の人気が益々高くなり、このような装置のユーザーに広告を届けるビジネスに対する人気が益々高くなってきているようである。このような装置は、移動電話、ポータブルメディアプレーヤー、小型ファクターＰＣあるいはその他の表示装置付きネットワーク使用可能デバイス、タッチスクリーン、動画/IR/ジェスチャー、キーボードおよびオーディオ機能等を例として含み、これらの装置の多くには、カメラ、テキストメッセージ交換、電子メールのような機能、ビデオ再生能力、オーディオ再生能力、映像表示能力、有線あるいは無線接続、記憶等のような機能が含まれる：従って、このような装置は視聴覚広告/あるいはテキスト広告を表示ことができる。
【０００４】
広告主が自分の携帯電話、携帯(情報)端末[ＰＤＡ]およびその他のモバイルデバイスや異なったフォームのファクターＰＣを通して消費者と結ばれる移動あるいは無線電子広告が最近爆発的に増えている。広告主は携帯電話を使用して例えば、インターネット上のトリビアコンテストに参加することを奨めることがきる。これによって、広告主はこれらのユーザーにクーポンあるいは販売促進オファー送ることを可能にするマーケティングキャンペーンを選んで実施することができる。移動広告や無線広告の利用を含む広告の種類は近年爆発的に増えたが、これらの持つ多くのメリットは完全には利用されていない。従って、より革新的で効果的な使用モードがまだ利用可能かもしれない。
【発明の概要】
【発明が解決しようとする課題】
【０００５】
アプリケーションおよびコンテンツ中の文脈キーワードを、テレコムネットワークあるいはインターネットサーバーに送られず、販売促進、情報、コンテンツ、アプリケーション、および、これらのキーワードに関する探索結果の発見に、当該キーワードの間接広告として、随意に拡張されなくても、ソフトウェアインターフェースを介してインターフェースを取ることなく、装置自身上のデータ抽出機能の助けを借りて、デジタル広告に基づき認識する為のシステム、装置、および関連した方法を前述の背景を考慮して提供することは、本公開特許の目的である。
【０００６】
上記のシステムと方法の幾つかの制限にうち勝つか、当該制限を少なくともを和らげることも、本公開特許の目的である。
【課題を解決するための手段】
【０００７】
本公開特許の第１局面に従って、データをアウトプット周辺機器から受け取るか、当該機器に送るため、表示装置、マウス、タッチスクリーン、モーション、ＩＲ、ジェスチャーセンサー、記憶装置、有線ポートまたは無線ポート、センサー、カメラ、キーボードおよびインプットおよび/またはアウトプット機能を含むネットワーク使用可能デバイス上にインプット周辺機器からデータを受け取るか、当該機器にデータ押し込むため含まれている、インプットおよび/またはアウトプット周辺機器、アプリケーション、ミドルウェア、ソフトウェア機能をアプリケーションまたはOS、カーネルおよび/またはデバイスドライバーの中に付与するか、ここから捕獲する中央データから、テキスト、コンテンツ、データ、アルファベット数値キーワードに基づき、広告を行う方法が提供される。本公開特許に従って、ユーザーデバイスのネットワーク使用可能デバイスからテキストとコンテンツを抽出し、引き続き、ネットワーク使用可能デバイス上に表示するプロセスは、テレコムキャリアに添付されたサーバーに抽出されたテキストとコンテンツを送信する必要のない、従来の広告システムを使う場合と同じ独立したプロセスである。広告は、本公開特許に基づき、販売促進、デジタルキャンペーン、情報とコンテンツの発見、アプリケーションの発見、登録されたウェブサイトを含む探索結果および関連情報の形態のものであることができる。
【０００８】
本公開特許の第２側面に従って、ユーザーデバイス上にデジタル広告を行う方法、キーボード、タッチスクリーン、モーションセンサー、カメラセンサー、ＩＲセンサー、マウス、記録されたオーディオ、有線または無線ポートのようなインプット周辺機器、および表示スクリーンまたはオーディオアウトプットもしくは有線/無線ポートのようなアウトプット周辺機器に押し出されたデータもしくは、記憶されたファイルまたはインプットアウトプット周辺機器上のデバイスに移送されたコンテンツから、テキスト、キーワード、コンテンツまたはアクションを抽出するステップを含む方法が提供される。但し、抽出動作は、オペレーテングシステムのカーネル層またはデバイスドライバー層もしくはアプリケーションまたはＯＳにおける中央機能またはインプットデータの捕獲またはインプット周辺機器とアウトプット周辺機器にデータをそれぞれ付与する責任を有するアプリケーション層の中で以下のステップを踏んで起こすことが出来る；アルファベット数値文字およびキーワードを抽出したコンテンツから識別して抽出し、当該文字をユーザーデバイスの揮発性メモリーおよび非揮発性メモリーに記憶させ、当該文字から意味を持つワードの文字を形成し、それをランダム化し、当該アルファベット数値文字および/またはキーワードに基づき、サーバーから広告コンテンツを引き出し、引き出した広告を随意に、ユーザーデバイス上のメモリ−に記憶させ、ユーザーデバイス上に表示すべき広告のための属性を受け取り、当該属性に基づいて、ネットワークが使用可能なユーザーデバイスのメインスクリーンおよび/または別なスクリーン上の特定場所に特定フォームで表示する。
【０００９】
本発明の第３局面に従って、デジタル広告を実行するため、ユーザーデバイスに対するサポート運転が可能なネットワークを含むシステムが提供される。但し、当該ユーザーデバイスはコンテンツを抽出するに適した広告モジュールを含み、抽出したコンテンツからアルファベット数値文字とキーワードを識別して、当該文字とキーワードを随意にデバイスメモリー中に記憶するものとする。前述のモジュールは、ユーザーデバイス中に記憶されている文字からワードの意味を持つ文字を形成するよう改作され、その後、これらをランダム化する。
【００１０】
本公開特許の第４局面の要件を満たすシステムは、ユーザーデバイスのネットワーク中で交信運転が可能なサーバー、および広告コンテンツにマッチさせ、ワードの重要なアルファベット文字に基づき広告コンテンツを引き出すための広告モジュールを含み、ユーザーデバイス上に表示すべき広告用の属性と一緒に引き出した広告をサーバーからユーザーデバイスに送り、更に前述の属性に従って、当該広告をネットワークが利用可能なユーザーデバイスのメインスクリーン上または別なスクリーン上に表示する。復元された広告を本公開特許に基づき、販売促進、デジタルキャンペーン、情報とコンテンツの発見、アプリケーションの発見、登録されたウェブサイドおよび関連情報からなるグループの中から選ぶことができる。
【００１１】
広告を多重タスク処理アプリケーションの一部として、メインスクリーンとその上でのオペレーションを妨げることなく表示するため、本公開特許の第５局面に従って、独立した表示スクリーンがユーザーデバイス上に提供される。前述の独立したスクリーン上に表示された広告コンテンツをスクロールして入力する小型ナビゲーションパネル/キーパッドも、ユーザーデバイス上に用意されている。更に、分割表示装置をユーザーデバイスのメインスクリーン上に用意することができる。
【００１２】
本公開特許の第２局面で述べたように、ユーザーデバイスはネットワーク使用可能デバイスである。前述のネットワーク可能デバイスは、１つまたはそれ以上の移動電話、ＰＤＡ［携帯端末］、スマートフォン、機能電話、スマートブック、タブレットＰＣ、ノートブックＰＣ、ラップトップＰＣまたはネットブックまたはデジタル絵画用額縁、あるいは携帯メディアプレーヤー、または音楽プレーヤー、あるいはビデオプレーヤー、またはデジタルTV、もしくはＩＰＴＶ、またはアナログＴＶ、もしくはセットトップボックス、または台所用品もしくはデジタルクロック、またはカー情報装置、もしくはナビゲーション装置、または電子装置またはＴＶのリモコンもしくはもう１個の表示スクリーンおよび１つまたはそれ以上のオーディオスピーカーまたはヘッドホン用コネクターポート、１つまたはそれ以上のキーまたはキーパッド、多機能周辺装置およびインプットアウトプットポートを持ち且つプロセッサ/チップセットに固有な１つまたはそれ以上のアプリケーションを含むその他のデバイスである。本書中の上に述べたネットワークには、インターネットまたはイントラネットもしくはグループに近い個人または大衆に対するピアーツーピアーまたは放送ネットワークもしくは無線ネットワークが含まれる。
【００１３】
１つまたはそれ以上の表示スクリーンに添付されたフレームまたはウィンドウバッファーのコンテンツおよび、ポート中のマイクロフォンまたはオーディオから受信したコンテンツのスピーチからテキストに変換した、揮発性または非揮発性メモリー中のコンテンツまたは、有線または無線もしくは衛星またはラジオ通信ポートから移転するのに使われるその他のタイプのコンテンツを、異なるアルファベット数値キーから押されたキー、キー/キーパッドコンテントバッファー、シングル/マルチプル/フィンガー/抵抗/静電容量/索針をベースにしたタッチスクリーンまたはマウスクリックによって押されたスクリーン上の場所におけるコンテンツの抽出であることができるか、または、モーション/ジェスチャー/ＩＲセンサーバッファーによって位置させたスクリーン上の場所におけるコンテンツの抽出であることができる部位、またはコンテンツおよび/またはファイル貯蔵庫またはコンテンツおよび/またはファイルのネットワーク使用可能デバイスまたは当該デバイスに接続されたメモリーデバイスの揮発性または非揮発性内部および外部メモリーへ、および/または、当該メモリーから移転から、抽出するステップが含まれる。本公開特許に基づくテキストとコンテンツの抽出は、オペレーティングシステムのカーネルレベルで起こすこができる。代わりに、テキストとコンテンツはネットワーク使用可能デバイスのデバイスドライバーのレベルから抽出することができる。適切なテキストとコンテンツを抽出する目的で、インプットデータをインプット周辺機器から取り込んで、アウトプット周辺機器に付与する責任を有するアプリケーションまたは中央機能も代わりに利用することができる。テキストおよびコンテンツは本公開特許に基づいて、テキスト、映像、ビデオ、オーディオを付与する責任およびオーディオ/ビデオを記録する責任を有するアプリケーション、ミドルウィア、カーネルまたはオペレーションシステムのデバイスドライバーの層の機能およびアレー/バッファーからも抽出することもできる。
【００１４】
前述のコンテンツから抽出したアルファベット数値文字は、桁、数、テキスト、ワードおよびストリングで、これらの文字は、揮発性または非揮発性メモリー中のもう一つのバッファーに、ユーザーのプライバシーを保護するため、記録/抽出と同じオーダーとシーケンスでないランダムファッションで記憶される。ネットワーク利用可能デバイスのスクリーン上に広告を表示するめ広告サーバーから受け取った属性は、ユーザープロフィール、広告の反復回数、時間、形態、位置およびサイズ並びにっ適切なその他の情報の形のものである。
【００１５】
更に、材料を広告し、ネットワーク利用可能デバイス上で再生する方法は、テキスト、オーディオ、写真、ビデオ、２Ｄ映像、３Ｄ映像、イメージ、アニメーション、動画、バナー、ウェブリンク、ハイパーリンク、添付ファイル、フラッシュ、ＳＭＳ、ｍｍｓ、電子メール等のフォームのものあることができる。
【００１６】
本公開特許の第３局面および第４局面に基づいて、コンテンツの抽出し、抽出されたコンテンツから、アルファベット数値文字を識別し、ネットワーク使用可能デバイスのメモリーモジュール中に記憶されている文字から、意味を有するキーワードを形成するため、ネットワーク使用可能デバイスのメモリーモジュールの中に前述の文字を記憶させ、更に、意味を有するキーワードをランダム化し、ネットワーク使用可能デバイス上で、意味を有するキーワードに基づいて、広告にマッチさせ且つ広告を復元し、その後、サーバーからネットワーク上に引き出した該当する広告を表示または再生するため、これを広告表示アプリケーションに引き渡し、これらのコンテンツに基づいて、ネットワーク使用可能デバイス上に記憶させるに適した手段が提供される。
【００１７】
引き出された広告および広告を表示するアプリケーション並びにＳＭＳ、電子メール、メッセージ、ビデオ、イメージの他のテキストを、これらのスクリーン中でマルチタスクアプリケーションの一部として見るため、メインスクリーンではない、アルファベット数値キーパッド、タッチスクリーンおよびキャンデーバーまたはクラムシェルあるいはスライド式デバイスの下の頂部に位置させることができるキーワードメインスクリーンの場所に独立した別な表示スクリーンが本公開特許の第５目的に従って提供される。
【００１８】
本公開特許に基づくユーザーデバイスの表示スクリーンを、ＬＣＤ(液晶表示装置),ＬＥＤ(発光ダイオード表示装置)、ＥＩｎｋ(電子インキ表示装置)、ＯＬＥＤ(有機発光ダイオード表示装置)、ＰＬＥＤ(ポリマー発光ダイオード表示装置)、ＡＭＯＬＥＤ(活性マトリックス有機発光ダイオード表示装置)、ＦＥＤ(電界放射表示装置)、ＩＭＯＤ(干渉モジュレータ表示装置)、プラズマからなるグループの中から選んだいずれかのタイプのものにすることができる。
【００１９】
本公開特許によって想定されるシステムと方法は、引き出されるべきで、選ばれたカテゴリーにスクリーン上だけに適切なスポーツ、保健娯楽、政治、耐久消費財、一般知識、書籍、白物商品、消費財、食料雑貨、ファッション、アパレル、電子機器等のような広告のカテゴリーを選択する機会をユーザーに与えることも考慮する。本公開特許のテクニックは更に、インターネット上の２Ｄ/３Ｄ/アニメ化/ビデオ 仮想モール、各ブランド所有者の仮想店舗および各仮想モールもしくは特定ブランドのショップの中で行う広告に使用することができる。
【００２０】
前の記述は、公開特許の幾つかの局面が了解される機会を提供することを目指す、文脈キーワードをベースとする広告システムの単純化された概要である。この概要は公開特許とその様々な実施形態の広範囲な概観でも、徹底的概観でもない。それは、本公開特許のキーエレメントあるいは重大なエレメントを識別し、発明の範囲を描くことではなく、公開特許の選ばれた概念を単純化した形で、以下に提示した明細説明に対する緒言として提出するよう意図されている。公開特許のその他の実施形態は、高く評価されるように、上に規定した特徴の１つまたはそれ以上を単独で利用するか、組み合わせて利用することができる。
【発明の効果】
【００２１】
本発明によれば、デジタル広告のためのシステム、装置および関連方法において、システムと方法の幾つかの制限にうち勝つ、もしくは当該制限を少なくとも和らげることが可能となる。
【図面の簡単な説明】
【００２２】
【図１】図１では、ネットワーク使用可能デバイスの例証表現を、広告を表示するのに使用できる表示スクリーンと一緒に示す。
【図２】図２は、本発明に基づく図１のユーザーのネットワーク使用可能デバイスの適切な部分のブロックダイアグラムを示す。
【図３】図３は、その中で図１のネットワーク使用可能デバイスを運転することが許される、本発明に基づくシステムのブロックダイアグラムを示す。
【図４】図４は、ネットワーク使用可能デバイス上に広告を表示するプロセスのフローチャートを示す。
【図５】図５は、ネットワーク使用可能デバイス上に広告を表示するプロセスのフローチャートを示す。
【発明を実施するための形態】
【００２３】
以下、本発明の実施の形態について図面を参照して説明し、文脈キーワードをベースとする広告システムを添付図面に基づいて説明する。
【００２４】
なお、添付図面中の同等なコンポーネントおよび／または機能に同じ引用ラベルを付けてもよい。更に、同じタイプの様々なコンポーネントを、同等なコンポーネントを区別する文字によって引用ラベルを追跡することによって、他と区別するこができる。第１引用ラベルだけを仕様中に使用する場合、説明は、第２引用ラベルと関係なく、同じ引用ラベルを持つ同等なコンポーネントのいずれの１つにも適用される。
【００２５】
本特許文書全体を通して使用されている"include"および "comprise"なる単語、並びにこれらの派生語は、「限定することなく含む」なる意味を有し、"or"なる単語は、and/orの意味をも含むものとする; "associated with"および"associated therewith"なる句並びにこれらの派生句は、include、be included within、interconnect with、contain、be contained within、connect to or with、couple to or with、be communicable with、cooperate with、interleave、juxtapose、be proximate to、be bound to or with、have、have a property of なる語または句もしくはこれらと同等な句または語を意味させてもよい。或る特定の単語と句のための定義を本文書全を通して提供する。この分野の普通の技能を有する人々は、最も多くはないが多くの場合、当該定義は、定義されたこのような語や句の事前使用並びに将来の使用に適用されると理解すべきである。
【００２６】
例証を目的として、移動デバイス/携帯電話を含めてもよいユーザーのネットワーク使用可能デバイス上に広告を表示する文脈中で、発明を主に説明する。しかし、公開特許は移動デバイス/携帯電話の文脈に限定するよう意図されていないことは高く評価される。公開特許は、その例に以下が含まれる適切な電子デバイスに関する：機能電話またはスマート電話、またはスマートブックまたはタブレットPCまたはPCもしくはノートブックまたはラップトップもしくはネットブックまたはデジタル映像額縁もしくは携帯メディアプレーヤーまたは音楽プレーヤーもしくはビデオプレーヤー、デジタルＴＶ、ＩＰＴＶ、アナログＴＶ、セットトップボックス、台所用装置器具、デジタル時計、カー情報装置およびナビゲーションデバイス。
【００２７】
文脈キーワードをベースとする広告システムを、広告をネットワーク使用可能デバイス上に２Ｄ/３Ｄ/アニメ化ビデオ、インターネット上の仮想モール、各ブランド所有者の仮想ショップ、各仮想モール中の広告または特定ブランドのショップを介して表示することに適合させることもできる。広告のこの方法で、ユーザ−はすべての仮想モールまたは仮想ショップの中でユーザーネームとパスワードを使ってログインし、インターネットへのアクセス手段を持つ自身のネットワーク使用可能デバイスに添付されているマウスをクリックするかキーボタンを押して製品を選択することができる。見て聞くのに費やした時間および行ったクリック操作の回数と訪問したショップの数およびネットワーク使用可能デバイスから、インターネット上の仮想モールやショップでユーザーが見た製品と広告の数はユーザーのデバイス上に記録、記憶され、サーバーに押しやられる。インターネット上のこれらの仮想モールおよびショップ中で、見る/聞く行為に費やした時間あるいはクリックした広告の数または訪問したショップの数に対する金銭に関するか、あるいは報酬、ギフト、割引クーポン、オファー、バウチャー等に関する収入のシェアが支払われるか付与される。
【００２８】
図１と図２に、モバイルデバイス１０１を示す。モバイルデバイス１０１には、広告モジュール２０７が含まれている。広告モジュール２０７の詳細と運転方法を以下で説明する。広告モジュールは、モバイルデバイス１０１の中に記憶され、当該デバイスによって実行される実行可能コードの形で具体化することができる。広告モジュールは、独立したソフトウェアアプリケーションであることができ、モバイルデバイス１０１に関連する追加のタスクを実行するソフトウェアの一部を形成することができる。ソフトウェアプログラムの形態の広告モジュールは、コンピュータまたはコンピュ−タが読み込み可能なメディアの中に記憶され得る。
【００２９】
モバイルデバイス１０１には、表示装置２１０が含まれている。表示装置２１０は、ユーザーに対して、電話番号、連絡先情報および様々なナビゲーションメニュ−、モバイルデバイスが受け取り、モバイルデバイス１０１のメモリー２１３(図２参照)から復元されたコンテンツのような情報を表示する。モバイルデバイスは、上に述べた情報を追加のナビゲーションキーパッド２１２と共に表示するため、１つまたはそれ以上の表示スクリーン２１１を持つことができる。
【００３０】
キーパッド２０９は様々なユーザーインプットオペレーションを規定する。例えば、キーパッド２１２には大抵、電話番号、連絡先情報、メモ等の入力を可能にするため、アルファベット数値キーが含まれる。特別機能キー１０２には、メイン表示装置上またはモバイルデバイス１０１の追加表示スクリーン上に表示されたメニューを通してナビゲートするための追加の表示スクリーン２１１上に表示されたメニューを通してナビゲートすることを可能にするメニューナビゲーションを含めることができる。
【００３１】
モバイルデバイス１０１は、モバイルデバイス１０１が、コール信号または交換信号をモバイルデバイス、インターネットウェブサーバー、広告サーバー等を含むコンテンツプロバイデングサーバーのようなｃａｌＬＥＤ／ｃａｌｌｉｎｇデバイスを使って確立することを可能にするコール回路を含む。コールは、ボイスオーバー インターネットプロトコール［ＶＯＩＰ］、ビデオ可能コール、コールオーバーＧＳＭ（登録商標）、ＧＰＲＳ、ＣＤＭ、３Ｇコールオーバーおよび、ＷｉＦｉ、ＷｉＭＡＸ等のような代替えパケット切り替え済みネットワークからなるグループの中から選んだいずれかの形態のものにすることができる。
【００３２】
モバイルデバイス１０１はテキストメッセージ、電子メールメッセージ、インスタントメッセージ、マルチメディアメッセージ、イメージファイル等のようなデータを送信、受信、処理するよぅに設定し且つ適合化することができる。このようなデータを処理するステップには、ユーザーがデータと対話することを許すアプリケーションを実行して、データをメモリー２１３の中に記憶させるサブステップを含めることができる。
【００３３】
モバイルデバイス/モバイル電話１０１の機能ブロックダイアグラムを図２に示す。モバイルデバイス１０１は モバイルデバイス１０１の機能とオペレーションの全体管理を実行するよう設定された制御回路２０５を含む。制御回路２０５には、ＣＰＵ［Ｃｅｎｔｒａｌ Ｐｒｏｃｅｓｓｉｎｇ Ｕｎｉｔ］、マイクロコントローラ等のような処理デバイス２０６を含めることができる。処理デバイスは、制御回路２０５の中あるいは別なメモリー２１３の中に記憶されているコードを実行する。メモリーを１つまたはそれ以上のバッファー、フラッシュドライブおよび非揮発性メモリー等にすることができる。
【００３４】
デバイス２０６を処理するステップでは、広告モジュール２０７が実行される。特定のプログラミングコードの明細な説明は、簡潔さを保つために割愛した。更に、広告モジュールの前述の機能は、別な専用ハードウェアまたはそれらの組み合わせによって、発明の範囲を超えることなく実行することもできた。
【００３５】
モバイルデバイス１０１には更に、ラジオ回路と連結されてなるアンテナ２１８が含まれている。ラジオ回路２０１は従来の送信機と受信機を含んでいる。ラジオ回路２０１はモバイル通信システムを運転するように設定してもよい。当該回路は、データおよびオーディオビジュアルコンテンツを受送信するのに使用するこができる。モバイルラジオネットワークおよび放送ネットワークと対話するタイプの受信装置には、ＧＳＭ、ＣＤＭＡ、ＷＣＤＭＡ、ＧＰＲＳ、３Ｇ、ＷｉＦｉ、ＷｉＭＡＸ等並びにこれらの基準の最新バージョンに規定された要件を満たすものが、限定することなく含まれる。
【００３６】
表示装置２１０または追加表示装置２１１は、ビデオデータを表示装置２１０あるいは追加表示装置２１１を駆動するのに使用するビデオ信号に変換するビデオ処理回路２０８によって、制御回路２０５に連結することができる。１つまたはそれ以上のＩ/Ｏインタフェース２１５および電源ユニット（ＰＳＵ）２１６、カメラ２１４およびアクセサリとの接続および他のモバイル電話への接続を確立するためのＢｌｕｅｔｏｏｔｈ（登録商標）インタフェースのようなローカル無線インターフェース２１７のようなモバイルでバイス１０１の中に他の部品が存在している。
【００３７】
通信システム３００の一部として運転するよう設定したモバイルデバイス１０１を図３に示す。システムは、サーバー３０２またはコールのマネジメントと一緒に様々な支援機能を実行するためのサーバーを持つ通信ネットワーク３００を含む。サーバー３０２は送信チャネルを介してモバイルデバイス１０１と交信する。送信チャンネルは、セル方式無線電話塔、もう一つのモバイルデバイス、人工衛星等を限定することなく含む適切なデバイスまたはアセンブリーである。サーバー３０２は、高く評価されるかもしれないように、モバイルデバイス１０１の広告モジュール２０７と対話する広告機能を記憶し且つ実行するよう設定することができる。広告サーバー３０２とモバイルデバイス１０１の広告モジュールの間で行われる対話の明細を以下で詳しく説明する。
【００３８】
図４と図５に、ユーザーデバイス上に広告を表示する模範的方法を例証する。模範的方法は、ユーザーデバイスによって遂行される方法に含まれるステップを描写するものと考えることができる。
【００３９】
ステップ４０１で、ユーザーデバイス上にコンテンツを入力するアクションに答えて、コンテンツが、ユーザーデバイスのインプット周辺機器によって受信されたデータおよび／または当該デバイスのアウトプット周辺機器に押し込まれたデータから抽出される。更に、コンテンツは、１つまたはそれ以上の表示スクリーンに添付してなるフレームまたはウィンドウバッファーの１つ、異なったアフラベット数値キーから押したキー、キー/キーパッドコンテントバッファーからシングル、マルチプル、フィンガー、抵抗、静電容量、索針をベースとするタッチスクリーンによって押されたスクリーン上の場所、モーションまたはジェスチャーもしくはＩＲセンサーバッファー、Ｂｌｕｅｔｏｏｔｈ、ＷｉＦｉ、ＬＡＮ等によって位置決めされたスクリーン上の場所、デバイスのメモリーまたはデバイスに接続されたメモリーデバイスから、および/または当該デバイスに移転させたファイルまたは記憶装置並びにポート中のマイクロフォンまたはオーディオから受け取った、スピーチからテキストに変換されたコンテンツから抽出される。更に、コンテンツは、インプット周辺機器およびアウトプット周辺機器に加え、ユーザーデバイスの揮発性メモリーおよび非揮発性メモリーに記憶されているデータからも抽出される。
【００４０】
ステップ４０１に述べたように、インプット周辺機器には、キーボード、タッチスクリーン、モーションセンサー、カメラセンサー、ＩＲセンサー追跡パッド、スクロール ホィール、オーディオレコーダーまたはインプットマイクロフォンまたはその他のオーディオ入力ポート、ソフトウェアまたはソフトウェアをベースにしたスピーチ/テキストコンバータ、蒸発性メモリーまたは非蒸発性メモリー、Ｂｌｕｅｔｏｏｔｈ、ＷｉＦｉ、ＬＡＮ(ローカル エリア ネットワーク)、ＵＳＢ(ユニバーサル シリアル バス)、ＵＡＲＴ、ＲＳ２３２、ＪＴＡＧ、すべてのシリアルポートまたはパラレルポート、紙またはその他の材料に書くために使用する時、データを記録するのに使用する電子ペンおよび通常のスマートペンを含めることができる。
【００４１】
前述のユーザーデバイスは、本書で述べたように、ネットワーク使用可能デバイスで、当該ネットワークには、インターネットまたはイントラネット、個人か法人に近いグループまたは放送ネットワークもしくは無線ネットワークおよびアナログネットワークかデジタルネットワークをピアツープアに含めることができる。ネットワーク使用可能デバイスには更に、１つまたはそれ以上の携帯電話/モバイルデバイス、ＰＤＡ［デジタル携帯端末］、スマートフォン、機能電話、スマートブック、タブレットPC、PC、ノートブック、ラップトップ、ネットブック、デジタル額縁、携帯メディアプレーヤー、音楽プレーヤー、ビデオプレーヤー、デジタルＴＶ、ＩＰＴＶ、アナログＴＶ、セットトップボックス、キッチン装置、デジタル時計、カー情報デバイス、ＶＯＩＰ電話、ＩＰ電話、ＴＶのリモコンあるいはすべての電子機器とナビゲーションデバイスを含めることができる。
【００４２】
ステップ４０２で、アルファベット数値文字は識別されて、ステップ４０１で抽出されたコンテンツから抽出される。識別されたアルファベット数値文字は桁数、数、テキスト、ワードおよびストリングを含んでいる。ステップ４０２で識別されたアルファベット数値文字は、ステップ４０３でユーザーデバイスのメモリーの中に記憶される。識別されたアルファベット数値文字は、ユーザーデバイス１０１の中に、記録と抽出のときと同じシーケンスまたはオーダーでないランダムな形態で記憶される。アルファベット数値文字を記憶した後、ステップ４０４で、意味を持つキーワードが形成される。意味を持つキーワードが形成された後、ステップ４０５で、当該キーワードはダンダム化される。キーワードをランダム化した後、ステップ４０６で、当該キーワードは、ネットワーク３０１の上にあるサーバー３０２に送られる。ネットワーク３０１には、インターネットまたはイントラネットあるいは個人または法人に近いグループあるいは放送ネットワークまたは無線ネットワークおよびアナログまたはデジタルネットワークが含まれている。ステップ４０７で、広告コンテンツは、サーバー３０２に送られたワードの当該文字に基づき、広告サーバー３０２から引き出され、引き出された広告はユーザーデバイス１０１のメモリー２１３中に記憶される。
【００４３】
図５は、図４中に描いたプロセスステップの更なるステップを描いたものである。ステップ４０７で、引き出された広告がユーザーデバイス上に記憶された後、ステップ５０１で、広告のための属性が広告サーバー３０２から受信され、ユーザーデバイス１０１のメモリー２１３の中に記憶されている広告が、ステップ５１０で、当該属性に基づき、ユーザーデバイス１０１の別なスクリーン上に表示される。広告をユーザーデバイス１０１のスクリーン上に表示するため、広告サーバー３０２から受け取った当該属性は、時間、フォーム、位置およびサイズの形態のものである。広告は音声のアナウンスによってユーザーに知らされる。ステップ５１０で広告を表示するフォームには、テキスト、オーディオ、写真、ビデオ、２Ｄ、３Ｄグラフィックス、映像、アニメーション、動画、バナー、ウェブリンクおよびハイパーリンク、ファイル添付、フラッシュ、ＳＭＳ、ｍｍｓ、電子メールを含めてもよい。
【００４４】
上に述べたような別なスクリーンは、ＳＭＳ［Ｓｈｏｒｔ Ｍｅｓｓａｇｅ Ｓｅｒｖｉｃｅ］、電子メール、メッセージ、ソシアルネットワークメッセージポスト、広告、ニュース、またはこの第２スクリーン上のその他のデジタルコンテンツを、デバイス上に記憶された後、メインスクリーンのコンテンツを混ぜるか変えることなく見るため、ユーザーデバイスのメインスクリーンまたはメインスクリーンに追加されたデバイス上の第２表示スクリーン上に用意された分割表示装置である。ユーザーデバイス上の当該表示スクリーンは、アルファベット数値キーパッドおよびメインスクリーンの頂部上または下に位置している。前述の別なスクリーンには、キャンデーバー、クラムシェルおよびスライダー型のデバイスの形の１つを含めることができる。ユーザーデバイス１０１の表示スクリーンには、ＬＣＤ(液晶表示装置)、ＬＥＤ(発光ダイオード表示装置)、ＥＩｎｋ(電子インキ表示装置)、ＯＬＥＤ(有機発光ダイオード表示装置)、ＰＬＥＤ(ポリマー発光ダイオード表示装置)、ＡＭＯＬＥＤ(活性マトリックス有機発光ダイオード表示装置)、ＦＥＤ(電界放射表示装置)、ＩＭＯＤ(干渉モジュレータ表示装置)、プラズマを含めることができる。
【００４５】
もう１つの具体化は本公開特許を使った収入シェアテクニックを考慮する。即ち、ユーザーが表示スクリーンの幾つかのフォームを持ち、ネットワーク使用可能タイプであるデバイス上で、広告の上をクリックするか、広告を掲載することを許すか、特定時間広告を見るか、広告を見て聞いて時間を費やすか、対話をベースに、広告に答えるか、広告に従事するか、市場調査および市場フィードバックの書式またはブランド所有者のその他の書式に記入するかとき、ユーザーには、発行人、広告コンテンツブランド所有者と末端消費者の間の収入シェアモデルに基づき金銭が支払われる。支払いは、ユーザーの銀行口座への振り込み、異なったブランド所有者と一緒に行使することができるギフトまたは報酬もしくは割引あるいはバウチャーまたはカードによる方法で行うことが出来る。
【００４６】
広告システムとその方法に対する前述の説明は、例証と説明を目的として提示したものである。請求された主題は、包括的であるか、または当該主題を開示した正確なフォームに限定するよう意図されていない。上記の教えを考慮すると、多くの改良や変形が可能である。発明の範囲はこの明細説明によらず、むしろ、ここに添付された請求項目によって制限するよう意図されている。
【手続補正書】
【提出日】平成24年12月7日(2012.12.7)
【手続補正１】
【補正対象書類名】手続補正書
【補正対象項目名】手続補正３
【補正方法】削除
【補正の内容】
【国際調査報告】
2013522700.tif 000008